(57)【特許請求の範囲】
【請求項１】
スチームを発生し、発生した前記スチームをホース（５）で供給するためのスチーム発生機（２）と、
回転動力を発生し、発生した前記回転動力をフレキシブルワイヤー（６）で伝達するための回転動力発生手段（３）とを有し、塗膜された構造物の表面に付着している汚れ及び塩分を除去するための洗浄を行う洗浄システムに使用する塗膜延命用スチーム洗浄機（１）であって、
軽量金属又は樹脂体で構成される筐体（７）と、
前記筐体（７）の一面側に配置固定され手で把持するための取っ手（８）と、
前記筐体（７）に一端が固定され、前記スチーム発生機（２）から前記スチームを通すために前記ホース（５）に連結されるホース接続部（９）と、
前記筐体（７）の他面側に回転自在に支持された第１回転伝動体（１３）と、
前記第１回転伝動体（１３）に固定され一体になって回転し、前記塗膜された構造物の表面を清掃するための回転ブラシ（１２）と、
前記筐体（７）の中心部に配置され、前記ホース接続部（９）に固定され前記第１回転伝動体（１３）を回転自在に支持し、かつ、前記ホース接続部（９）の穴（９ａ）と連通して前記スチームを通すために設けられたスチーム用穴（１０ｂ）と、前記スチーム用穴と連通し前記スチームを前記回転ブラシ側に噴出するために、円周上に、１個、又は、複数個形成された噴出穴（１０ｄ）とを有している連結手段（１０）と、
前記筐体（７）の他面側に回転自在に設けられ、前記第１回転伝動体（１３）を回転駆動するための第２回転伝動体（１７）と、
前記筐体（７）の一面側に配置され、前記第２回転伝動体（１７）を回転駆動するための前記フレキシブルワイヤー（６）の一端を前記第２回転伝動体（１７）の中心に回転自在に連結する駆動伝達用継手（１８）とからなり、
前記回転ブラシ（１２）は、円板状の基材（１２ａ）と、前記基材（１２ａ）の外周側の所定の範囲に配置されたブラシ（１２ｂ）とからなるものであり、
前記基材（１２ａ）の他面側には、回転することによって、前記連結手段（１０）の前記噴出穴の噴出口から噴出された前記スチームの気流を調整して、前記ブラシ（１２ｂ）側に均等に前記スチームを供給できるように案内するために、凸部または凹部が半径方向に所定長さ形成されたスチーム気流調整部（１２ｃ）が複数個形成されている
ことを特徴とする塗膜延命用スチーム洗浄機。
【請求項２】
請求項１に記載された塗膜延命用スチーム洗浄機において、
前記軽量金属は、マグネシウム合金、又はアルミニウム合金である
ことを特徴とする塗膜延命用スチーム洗浄機。
【請求項３】
請求項１に記載された塗膜延命用スチーム洗浄機において、
前記樹脂体は、繊維強化プラスチック（ＦＲＰ）である
ことを特徴とする塗膜延命用スチーム洗浄機。
【請求項４】
請求項１から３のいずれか１項に記載された塗膜延命用スチーム洗浄機において、
前記第１回転伝動体及び第２回転伝動体は、軽量の歯車（１３，１７）で構成され相互に噛み合い回転伝動する部材である
ことを特徴とする塗膜延命用スチーム洗浄機。
【請求項５】
請求項１から３のいずれか１項に記載された塗膜延命用スチーム洗浄機において、
前記第１回転伝動体及び第２回転伝動体は、軽量のプーリ（７０，７１）で構成されベルト（７２）を介して相互に回転伝動する部材である
ことを特徴とする塗膜延命用スチーム洗浄機。
【請求項６】
請求項１から５のいずれか１項に記載された塗膜延命用スチーム洗浄機において、
前記筐体（７）の外筒には、前記構造物の表面から一定間隔に保持し、かつ前記構造物の表面上の移動を容易にするための回動体（２０）が設けられている
ことを特徴とする塗膜延命用スチーム洗浄機。
【請求項７】
請求項６に記載された塗膜延命用スチーム洗浄機において、
前記回動体（２０）は、磁石で構成された輪体又はボールである
ことを特徴とする塗膜延命用スチーム洗浄機。
【請求項８】
請求項１に記載された塗膜延命用スチーム洗浄機において、
前記ブラシ（１２ｂ）は、前記外縁に配置され、硬めの毛である第１ブラシ（１２ｂｈ）と、前記第１ブラシの内側に配置され前記第１ブラシより柔らかい毛である第２ブラシ（１２ｂｓ）とが植毛されているものである
ことを特徴とする塗膜延命用スチーム洗浄機。
【請求項９】
請求項８に記載された塗膜延命用スチーム洗浄機において、
前記第２ブラシ（１２ｂｓ）は、基材（１２ａ）から突き出ている突出長さ方向の寸法が長い第１ブラシ毛（１２ｂｓ１）と、前記第１ブラシ毛より突出長さ方向の寸法が短い第２ブラシ毛（１２ｂｓ２）とが植毛されているものである
ことを特徴とする塗膜延命用スチーム洗浄機。
【請求項１０】
請求項１から９のいずれか１項に記載された塗膜延命用スチーム洗浄機において、
前記取っ手（８）は、２個並列に設けられている
ことを特徴とする塗膜延命用スチーム洗浄機。
【請求項１１】
請求項１から９のいずれか１項に記載された塗膜延命用スチーム洗浄機において、
前記筐体（７）の内側に、前記回転ブラシ（１２）の裏面を支承して前記回転ブラシが傾くことを防止するための抑え部材（５０）を設けている
ことを特徴とする塗膜延命用スチーム洗浄機。
【請求項１２】
請求項１から９のいずれか１項に記載された塗膜延命用スチーム洗浄機において、
前記筐体の外筒側面には、前記塗膜延命用スチーム洗浄機が前記構造物と衝突したときの作業時の接触圧を和らげるための薄板状ゴム（１９）が周面に取り付けられている
ことを特徴とする塗膜延命用スチーム洗浄機。
【請求項１３】
請求項１から９のいずれか１項に記載された塗膜延命用スチーム洗浄機において、
前記取っ手（６０）は、前記ホース接続部材（６１）上に断熱材（６２）を介して設けられている
ことを特徴とする塗膜延命用スチーム洗浄機。
【請求項１４】
請求項１から９のいずれか１項に記載された塗膜延命用スチーム洗浄機において、
前記筐体（７）は、円筒状の薄肉形状の板部材で構成されている
ことを特徴とする塗膜延命用スチーム洗浄機。
【請求項１５】
請求項１から１４のいずれか１項に記載された塗膜延命用スチーム洗浄機において、
前記塗膜された構造物は、橋梁である
ことを特徴とする塗膜延命用スチーム洗浄機。
【発明の詳細な説明】
【技術分野】
【０００１】
本発明は、道路、河川、水路等に架けられた橋梁等の塗膜延命用スチーム洗浄機に関する。更に詳しくは、鋼桁の表面の塗膜の汚れを洗浄して、その塗膜を延命するための塗膜延命用スチーム洗浄機に関する。
【背景技術】
【０００２】
積雪寒冷地では、道路等の凍結を防止するために道路に塩化カルシウム等の凍結防止剤が散布される。この凍結防止剤が、例えば橋梁の橋桁等の構造物に散布され飛散すると、構造物の表面の塗膜に付着する。凍結防止剤の散布は、汚れや塩分の付着性能を増大させてしまう。結果的にこの凍結防止剤の塗膜表面への付着は、この状態を継続させておくと、塗料を劣化させ塗装の寿命を縮めることになる。
【０００３】
このような汚れ等を早い段階で除去することは、橋梁の塗膜面の寿命を長くするのに効果的である。このために橋梁の長寿命化を目的として、塗装された橋梁の表面の塗膜を痛めずに汚れ等を除去することが行われている。このために種々の方法が施されているが、従来は一般的に放水等の水圧で洗い流す方法が施されているが、細部の汚れの除去は困難であった。
【０００４】
このようなことで、塗膜表面のみを洗浄することが行われており、このためにスチーム洗浄を行っていることは公知である。又、橋梁のスチーム洗浄のとき、回転ブラシを併用するものも公知である。（例えば、非特許文献１及び２参照）。更に、主に機械部品等を対象にした洗浄機であるが、高温の噴流蒸気に加え、ブラッシングする洗浄機が知られている（例えば、特許文献１参照）。更に、橋梁を洗浄対象とする洗浄機では、橋梁に沿ってレールを設け、このレールに沿って洗浄装置を移動させながら洗浄液を噴射させながら洗浄するものが知られている（例えば、特許文献２参照）。
【０００５】
特に、回転ブラシを搭載した洗浄機は、これを駆動するための電動モータを搭載していることから、どうしても洗浄機の重量が重くなることは避けられない。一方、塗膜表面の凍結防止剤等が付着している塗膜面の汚れ等は頑固なものであり、従来の方法では容易に除去できない。このためスチームと回転ブラシを併用すると効果的であるが、この両機能を搭載した洗浄機が重くなる傾向も避けられない。
【０００６】
この洗浄機は、一般的には長時間手作業で使用するものであるので、小回りが効き、かつ可能な限り軽量のものが望まれる。橋桁等のように複雑に入り組んだ構造物の塗膜表面を洗浄するときは、横向き、又は上向き作業等、作業者による複雑な現場作業となる。このような現場では、足場が良くても作業者にとっては相当の重労働となる。
【先行技術文献】
【特許文献】
【０００７】
【特許文献１】特開２００８−２３５１０号公報
【特許文献２】特開２００３−３４２２号公報
【非特許文献】
【０００８】
【非特許文献１】「積雪寒冷地における橋梁の延命化に対する提案」寒地土木研究所月報 」No．685 ２０１０年６月発行
【非特許文献２】「橋梁洗浄技術の開発」開発土木研究所月報 No．567 ２０１０年８月発行
【発明の概要】
【発明が解決しようとする課題】
【０００９】
前述したように、特に橋梁において使用される塗膜延命用スチーム洗浄機に求められる機能は、スチーム洗浄機能を有し回転ブラシを搭載したもので、作業性が良く、しかも軽量化したものが要求されている。洗浄の対象となる塗膜体は、例えば橋梁等の構造物で外部にさらされた環境状態にあり、作業対象物の形状は複雑に入り組んでおり、又、作業範囲は洗浄を効率的に行うため限定され塗膜部分となっている。このため洗浄作業は手作業で行っている。
【００１０】
従来の洗浄は放水等で行われていたが、最近は専用の洗浄機が使用されるようになった。しかし、洗浄機が重いので、作業者は作業時間に長時間を要していて疲れが生じていた。このため作業者にとって疲れが軽減され、汚れ等の除去が容易で、短時間で作業ができる洗浄機の開発が望まれていた。即ち、取り扱いが容易で軽量化された洗浄機により作業効率を高めることが求められていた。前述の例で、蒸気の噴出に加え、ブラッシングのできる洗浄機が公知であるが、手作業用のものではない。
【００１１】
又、この装置は駆動機構に遊星減速方式を適用したもので軽量タイプのものではなく、構造も複雑で機械部品の洗浄が対象であり本発明の目的のものとは異なる。更に、橋梁用としての公知の洗浄機は、自動式のもので洗浄対象が限定され、細部に亘っての洗浄には不向きであり、これも本発明の目的のものとは異なる。
【００１２】
本発明は前述のような技術背景のもとになされたものであり、下記目的を達成する。
本発明の目的は、塗膜表面を洗浄するためにスチーム洗浄機能を有し回転ブラシを搭載したスチーム洗浄機において、軽量化を実現し作業者の作業疲れを軽減した塗膜延命用スチーム洗浄機を提供することにある。
【００１３】
本発明の他の目的は、塗膜表面を洗浄するためにスチーム洗浄機能を有し回転ブラシを搭載したスチーム洗浄機において、取っ手を設け作業上の操作性を向上させ、汚れ等の除去を容易にした塗膜延命用スチーム洗浄機を提供することにある。
【００１４】
本発明の更に他の目的は、塗膜表面を洗浄するためにスチーム洗浄機能を有し回転ブラシを搭載したスチーム洗浄機において、スチームと回転ブラシの併用により汚れ等をムラなく均一に安定的に除去できるようにし、洗浄効果を高めた塗膜延命用スチーム洗浄機を提供することにある。
【課題を解決するための手段】
【００１５】
本発明は、前記目的を達成するために次の手段をとる。
本発明１の塗膜延命用スチーム洗浄機は、スチームを発生し、発生した前記スチームをホースで供給するためのスチーム発生機と、回転動力を発生し、発生した前記回転動力をフレキシブルワイヤーで伝達するための回転動力発生手段とを有し、塗膜された構造物の表面に付着している汚れ及び塩分を除去するための洗浄を行う洗浄システムに使用する塗膜延命用スチーム洗浄機であって、軽量金属又は樹脂体で構成される筐体と、前記筐体の一面側に配置固定され手で把持するための取っ手と、前記筐体に一端が固定され、前記スチーム発生機から前記スチームを通すために前記ホースに連結されるホース接続部と、前記筐体の他面側に回転自在に支持された第１回転伝動体と、前記第１回転伝動体に固定され一体になって回転し、前記塗膜された構造物の表面を清掃するための回転ブラシと、前記筐体の中心部に配置され、前記ホース接続部に固定され前記第１回転伝動体を回転自在に支持し、かつ、前記ホース接続部の穴と連通して前記スチームを通すために設けられたスチーム用穴と、前記スチーム用穴と連通し前記スチームを前記回転ブラシ側に噴出するために、円周上に、１個、又は、複数個形成された噴出穴とを有している連結手段と、前記筐体の他面側に回転自在に設けられ、前記第１回転伝動体を回転駆動するための第２回転伝動体と、前記筐体の一面側に配置され、前記第２回転伝動体を回転駆動するための前記フレキシブルワイヤーの一端を前記第２回転伝動体の中心に回転自在に連結する駆動伝達用継手とからなり、前記回転ブラシは、円板状の基材と、前記基材の外周側の所定の範囲に配置されたブラシとからなるものであり、前記基材の他面側には、回転することによって、前記連結手段の前記回転ブラシ側に形成された前記噴出穴の噴出口から噴出された前記スチームの気流を調整して、前記ブラシ側に均等に前記スチームを供給できるように案内するために、凸部または凹部が半径方向に所定長さ形成されたスチーム気流調整部が複数個形成されていることを特徴とする。
【００１６】
本発明２の塗膜延命用スチーム洗浄機は、本発明１において、前記軽量金属は、マグネシウム合金、又はアルミニウム合金であることを特徴とする。
本発明３の塗膜延命用スチーム洗浄機は、本発明１において、前記樹脂体は、繊維強化プラスチック（ＦＲＰ）であることを特徴とする。
【００１７】
本発明４の塗膜延命用スチーム洗浄機は、本発明１から３において、前記第１回転伝動体及び第２回転伝動体は、軽量の歯車（１３，１７）で構成され相互に噛み合い回転伝動する部材であることを特徴とする。
本発明５の塗膜延命用スチーム洗浄機は、本発明１から３において、前記第１回転伝動体及び第２回転伝動体は、軽量のプーリ（７０，７１）で構成されベルト（７２）を介して相互に回転伝動する部材であることを特徴とする。
【００１８】
本発明６の塗膜延命用スチーム洗浄機は、本発明１から５において、前記筐体（７）の外筒には、前記構造物の表面から一定間隔に保持し、かつ前記構造物の表面上の移動を容易にするための回動体（２０）が設けられていることを特徴とする。
本発明７の塗膜延命用スチーム洗浄機は、本発明６において、前記回動体（２０）は、磁石で構成された輪体又はボールであることを特徴とする。
【００２０】
本発明８の塗膜延命用スチーム洗浄機は、本発明１において、前記ブラシは、前記外縁に配置され、硬めの毛である第１ブラシと、前記第１ブラシの内側に配置され前記第１ブラシより柔らかい毛である第２ブラシとが植毛されているものであることを特徴とする。
【００２１】
本発明９の塗膜延命用スチーム洗浄機は、本発明８において、前記第２ブラシは、基材から突き出ている突出長さ方向の寸法が長い第１ブラシ毛と、前記第１ブラシ毛より突出長さ方向の寸法が短い第２ブラシ毛とが植毛されているものであることを特徴とする。
【００２２】
本発明１０の塗膜延命用スチーム洗浄機は、本発明１から９において、前記取っ手（８）は、２個並列に設けられていることを特徴とする。
本発明１１の塗膜延命用スチーム洗浄機は、本発明１から９において、
前記筐体の内側に、前記回転ブラシの裏面を支承して前記回転ブラシが傾くことを防止するための抑え部材を設けていることを特徴とする。
【００２３】
本発明１２の塗膜延命用スチーム洗浄機は、本発明１から９において、前記筐体の外筒側面には、前記塗膜延命用スチーム洗浄機が前記構造物と衝突したときの作業時の接触圧を和らげるための薄板状ゴムが周面に取り付けられていることを特徴とする。
本発明１３の塗膜延命用スチーム洗浄機は、本発明１から９において、前記取っ手は、前記ホース接続部材上に断熱材を介して設けられていることを特徴とする。
【００２４】
本発明１４の塗膜延命用スチーム洗浄機は、本発明１から９において、前記筐体は、円筒状の薄肉形状の板部材で構成されていることを特徴とする。
本発明１５の塗膜延命用スチーム洗浄機は、本発明１から１４において、前記塗膜された構造物は、橋梁であることを特徴とする。
【発明の効果】
【００２５】
本発明の塗膜延命用スチーム洗浄機は、薄い形状にして軽量化を図り、構成を簡素化した。その構成の上に、スチーム（蒸気）を噴出するためのスチーム噴出装置と、構造物の表面（被洗浄面）を清掃するための回転ブラシを設けて洗浄機能を向上させた。この結果、特に橋梁等の構造物に対し、洗浄作業上の操作性が向上し、表面に付着した汚れ、塩分等の除去を容易にした手作業用の塗膜延命用スチーム洗浄機となった。更に、汚れ等をムラなく均一に安定的に除去できるようになり、洗浄効果を高めることとなった。
【００２６】
回転ブラシは、外縁に、硬めの毛である第１ブラシが、第１ブラシの内側に、第１ブラシより柔らかい毛である第２ブラシとが配置されているものであり、第１植毛により、被洗浄面に付着したゴム等付着物の除去が行える。又、第２植毛は、基材から突き出ている突出長さ方向の寸法が長い第１ブラシ毛と、第１ブラシ毛より短い第２ブラシ毛とが植毛されているものであり、凹凸のある構造物の表面においても効率的に接触し、確実な洗浄を行うことができる。
【図面の簡単な説明】
【００２７】
【図１】図１は、洗浄システムの全体構成を示す説明図である。
【図２】図２は、塗膜延命用スチーム洗浄機の断面図であって、図４をＡ−Ａ線で切断したＡ−Ａ断面を示す。
【図３】図３は、図２において矢印Ｘ方向から矢視した平面図である。
【図４】図４は、図２において矢印Ｙ方向から矢視した平面図である。
【図５】図５は、他の実施の形態を示し、２つの分岐したＬ字状の取っ手を有する塗膜延命用スチーム洗浄機の外観図である。
【図６】図６は、他の実施の形態を示し、２つの分岐した取っ手を結合した構成の塗膜延命用スチーム洗浄機の外観図である。
【図７】図７は、他の実施の形態を示し、筐体に回転ブラシの傾きを抑える抑えローラを設けた塗膜延命用スチーム洗浄機の部分断面図である。
【図８】図８は、他の実施の形態を示し、取っ手とホース接続部材を合体させた構成の部分断面図である。
【図９】図９は、他の実施の形態を示し、第１回転伝動体及び第２回転伝動体をプーリとした構成の部分断面図である。
【図１０】図１０は、塗膜延命用スチーム洗浄機の回転ブラシで被洗浄面を洗浄している状態を模式的に示した部分説明図である。
【図１１】図１１は、回転ブラシのブラシ毛の配置状態の一例を模式的に示す回転ブラシの説明図である。
【発明を実施するための形態】
【００２８】
本発明に関わる塗膜延命用スチーム洗浄機の実施の形態を、図面に基づいて詳細に説明する。図１は、塗膜延命用スチーム洗浄機１を使用するための洗浄システムの全体構成を示したシステム全体図である。本発明の塗膜延命用スチーム洗浄機（以下、洗浄機と記載）１は、スチーム（蒸気）を発生、供給するためのスチーム発生機２と、回転動力を発生、伝達するための回転動力発生手段３とに接続されて、移動自在に洗浄機能を達成させるものである。
【００２９】
図１において示すように、スチーム発生機２と回転動力発生手段３は、洗浄機１とは別に設置される。スチーム発生機２と回転動力発生手段３は、キャスターを付した移動台４に搭載され、一体的に任意の位置に移動が可能である。洗浄機１は、スチーム発生機２とホース５を介して連結されており、このホース５と着脱自在に継手で接続されている。又、回転動力発生手段３とフレキシブルワイヤー６とは、継手部で着脱自在に接続されている。
【００３０】
このフレキシブルワイヤー６は、スネークワイヤーとも称され、鋼のワイヤーを撚った可撓性のあるロープ状の回転軸であり、一方の軸端側から他方の軸端側に、回転ねじりでフレキシブルに回転動力を伝達するものである。洗浄機１はこれらの装置に接続した後、手作業で自在に橋梁（例えば、橋桁）等の塗膜の汚れ、塩分等を除去し、塗膜面を延命させるための洗浄を行うものである。又、ホース５等を接続したままの状態で洗浄機１を使用しないときには、この洗浄機１を移動台４にさし掛けておくことができる。次に本発明に関わる洗浄機１について詳述する。
【００３１】
図２は、洗浄機１本体の断面図で、図４をＡ−Ａ線で切断したＡ−Ａ断面図である。図３は図２において矢印Ｘ方向から矢視した平面図で、図４は図２において矢印Ｙ方向から矢視した平面図である。図に示すように、洗浄機１は薄板で円筒状の枠体を構成する筐体７に、洗浄機能を果たすための各部材を配置した構造になっている。筐体７は、軽量な樹脂〔例えば、繊維強化プラスチック（ＦＲＰ）、エンジニアリング・プラスチック等〕製である樹脂体で構成されている。この形態では筐体７は炭素繊維強化プラスチック（ＣＦＲＰ）製の軽量な樹脂体で構成されている。なお、筐体は、軽量金属（例えば、マグネシウム合金、アルミニウム合金）製のものであってもよい。この筐体７の外面には、２つのコ字状の取っ手８が固定して配置されている。
【００３２】
この２つの取っ手８は、各々が筐体７外面の両側に分岐してそれぞれ固定されている。この取っ手８は、両手で把持し使用するハンド操作用洗浄機（手作業用洗浄機）として扱うものであり、軽量の樹脂（例えば、ナイロンを含むエンジニアリング・プラスチック）製である。又、この筐体７の上面の中央部には、ジュラルミン製のホース接続部材９が設けられている。このホース接続部材９は、前述のホース５を接続可能なスチームの通過部材を構成していて、その中心にはスチームを通過させるための穴９ａが設けられている。
【００３３】
更に、図２の断面図に示すように、このホース接続部材９の筐体７側の端部には、軸状の連結手段１０が固定されている。ホース接続部材９には、半径方向からねじ込まれた３本のねじ部材１１が配置されている。この連結手段１０は、このねじ部材１１により、連結手段１０の軸部の凹部１０ａに嵌り込み固定されている。連結手段１０の中心には、中心軸線方向にスチームを通過させるためのスチーム用穴１０ｂを有している。スチーム用穴１０ｂは、ホース接続部材９の穴９ａに連通して設けられている。すなわち、スチーム発生機２で発生されたスチームは、ホース５、ホース接続部材９の穴９ａ、連結手段１０のスチーム用穴１０ｂ、噴出口が形成されているスチーム噴出穴（以下、噴出穴と記載）１０ｄを介して噴出される。噴出穴１０ｄは、円周上に、１個、又は、等角度位置又は所定の角度位置に複数個（例えば、１から５個）形成されている。スチーム発生機２、ホース５、ホース接続部材９、連結手段１０等が、スチーム噴出装置を構成している。噴出穴の個数は、スチーム洗浄を行うもの、スチーム洗浄条件等により適宜選択されるとよい。
【００３４】
又、筐体７の内面側には、回転ブラシ１２が回転自在に設けられていて、この回転ブラシ１２は筐体７内面の外部側に張り出した連結手段１０の軸部に、平歯車１３を介して一体となり回転可能に支持されている。従って、連結手段１０は、ホース接続部材９に対してスチームの通過のための手段であると同時に、回転ブラシ１２が取り付けられた平歯車１３を回転自在に支持するための手段でもある。この回転ブラシ１２は、円板状の丸板部材１２ａの外縁周囲に植毛が、即ちブラシ１２ｂが設けられた構成のものである。
【００３５】
図１０は、洗浄機の回転ブラシで被洗浄面を洗浄している状態を模式的に示した部分説明図である。図１１は、回転ブラシのブラシ毛の配置状態の一例を模式的に示す回転ブラシの説明図である。
図１０に示すように、ブラシ１２ｂは、丸板部材１２ａの外縁に配置され、硬めのブラシ毛が植毛されている第１ブラシ１２ｂｈと、第１ブラシ１２ｂｈより柔らかいブラシ毛が植毛されている第２ブラシ１２ｂｓとから構成されている。第１ブラシ１２ｂｈは、構造物の表面である被洗浄面Ｗａに付着しているゴミ等の除去を行うために丸板部材１２ａの外縁の全周にわたって配置されているものである。
【００３６】
第２ブラシ１２ｂｓは、第１ブラシ１２ｂｈの内側に配置されており、被洗浄面Ｗａの洗浄を行うためのものである。第２ブラシ１２ｂｓは、丸板部材１２ａから突き出している突出長さ寸法が長い第１ブラシ毛１２ｂｓ１と、第１ブラシ毛１２ｂｓ１より突出長さ寸法が短い第２ブラシ毛１２ｂｓ２とから構成されている。第１ブラシ毛１２ｂｓ１と、第２ブラシ毛１２ｂｓ２とは、図１１に示すように所定の角度毎に交互に植毛されていても、図１０に示すように内周側と外周側に配置されて植毛されていてもよい。又、所定の角度毎の配置と、内周、外周の配置とを組み合わせて植毛されたものであってもよい。このように第１ブラシ毛１２ｂｓ１と第２ブラシ毛１２ｂｓ２に長短をつけることにより、被洗浄面Ｗａに凹凸部（例えば、橋桁と橋桁面に設けられているボルトＢの頭部、ナットＮ）がある場合にも、第２ブラシ１２ｂｓが効率的に接触して確実な洗浄を行うことができる（図１０参照）。
【００３７】
又、この丸板部材１２ａには、平歯車（第１回転伝動体）１３がボルト１４を介して一体的に取り付けられている。この平歯車１３は、連結手段１０の軸部に対し、又筐体７との間に設けられたスペーサ１５（又は軸受）との間で相対的に回転自在に支持されている。平歯車１３は、軽量な樹脂（例えば、ナイロンを含むエンジニアリング・プラスチック）製の歯車である。又、丸板部材１２ａの下面（側面）の中心寄りには、ブラシ１２ｂ側に向かって、ブラシ１２ｂの中心点から放射方向（半径方向）に所定長さ形成されたスチーム気流調整部であるスチーム気流調整凸部（以下、凸部と記載）１２ｃが複数（例えば、８個）形成されている。この凸部１２ｃは、後述するスチームの気流を調整する機能を有し、このスチームをブラシ１２ｂ全体に満遍なく噴出、供給できるように案内するためのものである。
【００３８】
連結手段１０の端部は、ブラシ１２ｂ側に張り出し、その端部はフランジ部１０ｃを構成し、回転ブラシ１２が洗浄機１外に飛び出すのを防止している。このフランジ部１０ｃはテーパ形状となっていて、傾斜面にスチーム用穴１０ｂと連通する噴出穴１０ｄが設けられ、ホース接続部材９から連結手段１０を介して供給されるスチームをこの噴出穴１０ｄから噴出するようにしている。この噴出穴１０ｄから噴出したスチームは、前述したように、回転している丸板部材１２ａの凸部１２ｃによって気流が一定になるように調整されブラシ１２ｂ側に噴出、供給される。
【００３９】
平歯車１３は、この連結手段１０の軸部上を回転自在に支持され、前述のように筐体７側とはスペーサ１５（又は軸受）を介在させて連結手段１０により支持されている。平歯車１３はフランジ部１０ｃに規制され、外方へのはみ出しが防止されている。筐体７は平板の円筒形状としているが、軽量化のため更に筐体７の肉厚を薄くし、複数のリブで補強された構成のものあるいは波状にして補強された構成のものであってもよい。
【００４０】
回転ブラシ１２は、平歯車１３と一体で回転するが、この平歯車１３は筐体７にスペーサ（又は軸受）１６を介して回転自在に支持された小歯車（第２回転伝動体）１７と噛み合っている。従って、平歯車１３は、この小歯車１７の回転駆動により回転される。この小歯車１７は、外部に設置された回転動力発生手段３により駆動される。小歯車１７は、軽量な樹脂（例えば、ナイロンを含むエンジニアリング・プラスチック）製の歯車である。なお、小歯車１７、平歯車１３は、軽量金属製歯車であってもよい。この筐体７の外面側には、小歯車１７に直結した駆動伝達用継手１８が回転自在に設けられて、この駆動伝達用継手１８に回転自在のフレキシブルワイヤー６が連結され結合するようになっている。
【００４１】
従って、この洗浄機１は、外部に設置された回転動力発生手段３の回転動力をこのフレキシブルワイヤー６を介して小歯車１７に伝達し、平歯車１３を経由して回転ブラシ１２を回転するものである。一方、スチームはスチーム発生手段２よりホース接続部材９に接続されたホース５を介して、洗浄機１に供給される。ホース５の一端は、ホース接続部材９に対し着脱自在である。ホース接続部材９に供給されたスチームは、連結手段１０のスチーム用穴１０ｂを介してフランジ部１０ｃに設けられた噴出穴１０ｄよりブラシ１２ｂ側に噴出される。
【００４２】
回転ブラシ１２の回転に伴い、丸板部材１２ａに形成された所定長さの凸部１２ｃも回転する。噴出されたスチームはこの回転する凸部１２ｃによって案内され、ブラシ１２ｂ側に均等に整流されて噴出されるようになっている。従って、スチームは、回転ブラシ１２の回転によって満遍なく筐体７全体に放出され洗浄効果を高めることになる。又、この洗浄機１には、その筐体７の外筒側面（外周面）に、洗浄機１が構造物等に衝突したときに作業時の接触圧を和らげるため薄い板状ゴム１９が貼り付けられている。
【００４３】
更に、この筐体７の外筒縁端（外周下端）には、作業時の移動操作を容易にし負担軽減のために回動体が設けられている。図において、この回動体はローラー部材２０として４ヶ所に設けられている。すなわち、ローラー部材２０は、筐体７の下部に設けられた取付部７ａに軸体７ｂを介して回転可能に設けられている（図７参照）。なお、この回動体はボールであってもよい。又この回動体は磁性を有する部材としている。磁性を有するようにしたことは、この洗浄機１を鋼製である相手橋梁（例えば、橋桁）に対して磁性支持されることになるので、洗浄作業の操作時に作業者の負担軽減化が図られる。このため作業能率を高めることになる。又、回転ブラシ１２と相手橋梁の被洗浄面Ｗａとの間隔を、一定、ほぼ一定にすることができるので、施工品質（洗浄の品質）を確保することができる。なお、回動体は、回転方向の６方向、８方向に配置されていてもよい。
【００４４】
［実施例］
本実施の形態の洗浄機１で、地点１（大阪）、地点２（福岡）、地点３（沖縄）において、橋桁等の塗膜表面である被洗浄面Ｗａの洗浄を行い、洗浄前後の橋桁の状態を計測し、洗浄性能、付着物除去性能の確認を行った。計測項目は、付着塩分量計測、塗膜光沢度計測、塗膜色差計測の３項目で行った。表１は、前述した計測項目の計測結果を示す。なお、各計測項目の計測結果の値は、計測箇所の状態により所定量のバラツキがあるため、表１では各計測項目の計測値の中央値〔（最大値＋最小値）／２〕を記載している。
【００４５】
［付着塩分量計測］
洗浄前後の塗膜表面に付着した塩分量（ＮａＣｌ：ｍｇ／ｍ２）を、地点１では、「ガーゼ法（ガーゼで塗膜表面を拭き取り付着物からイオン検知管を用いて塩分量を測定する方法）」で、地点２及び地点３では「表面塩分計ＳＮＡ−２０００（商品名：株式会社サンコウ電子研究所製）」を用いて塗膜表面に付着した塩分量を計測した。その結果、地点２のように、洗浄前の付着塩分量が多い場合には、約９９％の除去ができることが確認できた。又、地点１のように洗浄前の付着塩分量が少ない場合にも、半分以下にすることができ、洗浄効果が確認できた。
【００４６】
［塗膜光沢度計測］
洗浄前後の塗膜光沢度を「光沢計ＧＭ−２６８（商品名：コニカミノルタオプティクス株式会社製）を用いて計測した。ＪＩＳ−Ｚ−８７４１（日本工業規格）では、測定入射角６０°による光沢度が１０以下の場合、入射角８５°に変更して測定することを規定している。３地点における洗浄前の６０°光沢度が１０以下と低い値であったため、入射角８５°光沢度で測定を行っている。その結果、どの地点においても、洗浄前の計測値より洗浄後の計測値が大幅に向上し、光沢度が向上したことが確認できた。又、基準パネル（事前に入念に清掃したパネル）の光沢度と洗浄後の光沢度とを比較しても１〜５％程度の差しかなく、塗膜面の塵埃等が除去され光沢度が回復したことを確認できた。
【００４７】
［塗膜色差計測］
洗浄前後の塗膜色差について「色彩色差計ＣＲ−３００（商品名：コニカミノルタオプティクス株式会社製）を用いて、塗膜表面色の比較計測を行った。なお、塗膜色差は、本来であれば、塗膜初期状態の計測値との比較をすることになるが、初期計測値がないため、前述した基準パネル（事前に入念に清掃したパネル）の計測値を塗膜初期の状態と考え、洗浄前後での塗膜表面色の違いを確認した。その結果、洗浄前の塗膜色差計測値より洗浄後の塗膜色差計測値が小さな値を示し、洗浄後の塗膜表面色は、付着物が除去されたこと等により、基準パネルの塗膜表面色に近づいていることが確認できた。
【００４８】
【表１】
0005538508.tif 000002
【００４９】
［他の実施の形態］
図５は、取っ手の変形例を示す洗浄機の外観図である。筐体７に取り付けられ、２つに分岐された取っ手３０の形状を略Ｌ字状にしたものである。取っ手３０の形状は、構成的に前述の実施の形態のものに比し、パイプ又は棒材を折り曲げのみの構造になるので、簡素化される。図６に示すものも取っ手の変形例を示すもので、２つの分岐された取っ手の両端部を結合した構成の取っ手４０としている。この例も図５と同様に簡素化されたものとなる。又、取っ手４０は、所定の長さ延在するように設けることにより高所作業に適したものとすることができる。このようにすると、航空機の機体、鉄道車両の車体等の洗浄にも適するものとなった。
【００５０】
図７は、筐体７に回転ブラシ１２の丸板部材１２ａの傾きを抑えるための抑えローラ５０を設けた構造例を示す部分断面図である。回転ブラシ１２は、作業中に部分的に被洗浄面Ｗａを押圧しているブラシ１２ｂから反力を受け、回転ブラシ１２の一部は部分的にこの反力で傾く、又は変形することがある。その傾き、又は変形が大きいと回転動作に支障が生じるので、この傾きを防止しなければならない。この傾きを防止するために、丸板部材１２ａに接触可能な抑えローラ（抑え回動体）５０を設けたものである。
【００５１】
この抑えローラ５０は、筐体７の内側に固定されたステー５１に回転自在に取り付けられている。この押さえローラ５０は、図示していないが筐体の円周方向に沿って均等になるように等角度位置に３箇所に設けられている。丸板部材１２ａが必要以上に傾くと、この抑えローラ５０に接触し、筐体７との間での相対傾きが抑えられる。なお、この抑え回動体は、押さえローラ５０のようなローラタイプでなく、ボールタイプの抑え回動体であってもよい。
【００５２】
図８は、取っ手とホース接続部材の変形例を示す部分断面図である。この例は取っ手６０をホース接続部材６１の外形部に、断熱材６２によりスチームの熱伝達を遮断して被せた形態としたものである。ホース接続部材６１は、筐体７の外面に対し略Ｌ字状としている。筐体７の外面への取り付けは前述の構成と同様であるが、端部を折り曲げ形状にし取っ手を兼ねた形状としたものである。この取っ手構成であると、片手操作が容易になるメリットはあるが、片手操作であるが故に洗浄機１の重量は一層の軽量化が望まれる。本例は短時間操作の場合、小型の洗浄機に適用するのが効果的である。
【００５３】
図９は、第１回転伝動体と第２回転伝動体の変形例を示す他の実施の形態の部分断面図である。この例は、第１回転伝動体を大プーリ７０とし、第２回転伝動体を小プーリ７１としたものであり、動力伝達はゴム製のベルト７２である。大プーリ、小プーリは、軽量な樹脂（例えば、ナイロンを含むエンジニアリング・プラスチック）製のプーリである。図はＶベルト形状としているが、断面円形状のベルト・プーリや、歯付プーリ・歯付ベルトであってもよい。この例は歯車形式に比し、伝達する動力の大きさに限界はあるが、ベルト伝動のために騒音が低くなり、又一方のプーリとベルトを変えることで任意の回転数の設定が可能である。
【００５４】
以上、本発明の実施の形態について説明したが、本発明はこの形態に限定されることはなく、本発明の目的、趣旨を逸脱しない範囲内での変更が可能なことはいうまでもない。例えば、この洗浄機は橋梁等の塗膜汚れの除去に使用することで説明しているが、ビルや住宅等の建築物の外壁、航空機等の機体、鉄道車両等の車体などの外壁、外周の洗浄に使用してもよい。更に、原子力発電所事故等により飛散した放射性物質に汚染された橋梁、住宅、建築物等の外壁から放射性物質の除去、すなわち除染作業に使用してもよい。
【００５５】
又、スチーム気流調整部は、回転ブラシに凹部が形成されたスチーム気流調整凹部であってもよい。更に、スチーム気流調整凸部及びスチーム気流調整凹部は、直線状でなく、曲線状、又は、直線と曲線とが組み合わされた形状のものであってもよい。又、スチーム気流調整部の凸部及び凹部の断面形状は、三角形状、台形形状のものであってもよい。このスチーム気流調整部の形状、個数等は、スチーム洗浄されるもの、スチーム洗浄条件等により適宜選択されるとよい。
【符号の説明】
【００５６】
１…塗膜延命用スチーム洗浄機
２…スチーム発生機
３…回転動力発生手段
４…移動台
５…ホース
６…フレキシブルワイヤー
７…筐体
８…取っ手
９…ホース接続部材
１０…連結手段
１２…回転ブラシ
１３…平歯車（第１回転伝動体）
１７…小歯車（第２回転伝動体）
１８…駆動伝達用継手
１９…板状ゴム
２０…ローラー部材
【図１】
0005538508.tif 000003
【図２】
0005538508.tif 000004
【図３】
0005538508.tif 000005
【図４】
0005538508.tif 000006
【図５】
0005538508.tif 000007
【図６】
0005538508.tif 000008
【図７】
0005538508.tif 000009
【図８】
0005538508.tif 000010
【図９】
0005538508.tif 000011
【図１０】
0005538508.tif 000012
【図１１】
0005538508.tif 000013